【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
１，３−プロパンジオール反応体と、約１０〜約０．１モル％の脂肪族または芳香族二酸またはジエステルとの重縮合によって調製されることを特徴とするランダムポリトリメチレンエーテルエステル。
【請求項２】
約９０〜約９９．９モル％の前記１，３−プロパンジオール反応体と、約１０〜約０．１モル％の前記脂肪族または芳香族二酸とから調製されることを特徴とする請求項１に記載のランダムポリトリメチレンエーテルエステル。
【請求項３】
約９５〜９９．５モル％の前記１，３−プロパンジオール反応体と、約５〜約０．５モル％の前記脂肪族または芳香族二酸とから調製されることを特徴とする請求項１に記載のランダムポリトリメチレンエーテルエステル。
【請求項４】
約８０〜約９９．９モル％の前記１，３−プロパンジオール反応体と、前記約１０〜約０．１モル％の脂肪族または芳香族二酸と、１，３−プロパンジオール反応体以外の約１０モル％までのジオール反応体とから調製されることを特徴とする請求項１に記載のランダムポリトリメチレンエーテルエステル。
【請求項５】
前記１，３−プロパンジオール反応体が、１，３−プロパンジオール、および２〜９の重合度を有する１，３−プロパンジオールのオリゴマーおよびプレポリマー、およびそれらの混合物よりなる群から選択されることを特徴とする請求項１〜４のいずれかに記載のランダムポリトリメチレンエーテルエステル。
【請求項６】
前記脂肪族または芳香族二酸またはジエステルが、テレフタル酸、ビ安息香酸、イソフタル酸およびナフタル酸、テレフタル酸ジメチル、ビ安息香酸ジメチル、イソフタル酸ジメチル、ナフタル酸ジメチルおよびフタル酸ジメチル、およびそれらの組み合わせよりなる群から選択されることを特徴とする請求項１〜５のいずれかに記載のランダムポリトリメチレンエーテルエステル。
【請求項７】
前記脂肪族または芳香族二酸がテレフタル酸であることを特徴とする請求項１〜６のいずれかに記載のランダムポリトリメチレンエーテルエステル。
【請求項８】
請求項１〜７のいずれかに記載のランダムポリトリメチレンエーテルエステルと、ポリエステル、ポリアミド、ポリウレタンおよびポリウレタンウレアよりなる群から選択されるポリマーとから調製されることを特徴とする熱可塑性エラストマー。
【請求項９】
請求項１〜７のいずれかに記載のランダムポリトリメチレンエーテルエステルからの軟質セグメントと、アルキレンエステル硬質セグメントとを含むことを特徴とするポリエーテルエステルエラストマー。
【請求項１０】
請求項１〜７のいずれかに記載のランダムポリトリメチレンエーテルエステルからの軟質セグメントと、ポリアミド硬質セグメントとを含むことを特徴とするポリトリメチレンエーテルエステルアミド。
【請求項１１】
（ａ）請求項１〜７のいずれかに記載のランダムポリトリメチレンエーテルエステルと、（ｂ）ジイソシアネートと、（ｃ）ジオールまたはジアミン鎖延長剤とから調製されることを特徴とするポリウレタンまたはポリウレタンウレアエラストマー。
【手続補正２】
【補正対象書類名】明細書
【補正対象項目名】００８６
【補正方法】変更
【補正の内容】
【００８６】
本発明の実施態様の前述の開示内容は、具体例および説明のために提供された。それは完全であるかまたは開示された正確な形に本発明を限定することを意図するものではない。本明細書に記載された実施態様の多くの変型および改良が、開示内容から当業者には明らかであろう。
本出願は、特許請求の範囲に記載の発明を含め、以下の発明を包含する。
（１）  １，３−プロパンジオール反応体と、約１０〜約０．１モル％の脂肪族または芳香族二酸またはジエステルとの重縮合によって調製されることを特徴とするランダムポリトリメチレンエーテルエステル。
（２）  約１０〜約０．１モル％の脂肪族または芳香族二酸で調製されることを特徴とする（１）に記載のランダムポリトリメチレンエーテルエステル。
（３）  約９０〜約９９．９モル％の前記１，３−プロパンジオール反応体と、約１０〜約０．１モル％の前記脂肪族または芳香族二酸とから調製されることを特徴とする（２）に記載のランダムポリトリメチレンエーテルエステル。
（４）  約９５〜９９．５モル％の前記１，３−プロパンジオール反応体と、約５〜約０．５モル％の前記脂肪族または芳香族二酸とから調製されることを特徴とする（１）に記載のランダムポリトリメチレンエーテルエステル。
（５）  約８０〜約９９．９モル％の前記１，３−プロパンジオール反応体と、前記約１０〜約０．１モル％の脂肪族または芳香族二酸と、１，３−プロパンジオール反応体以外の約１０モル％までのジオール反応体とから調製されることを特徴とする（２）に記載のランダムポリトリメチレンエーテルエステル。
（６）  前記１，３−プロパンジオール反応体が、１，３−プロパンジオール、および２〜９の重合度を有する１，３−プロパンジオールのオリゴマーおよびプレポリマー、およびそれらの混合物よりなる群から選択されることを特徴とする（１）〜（５）のいずれかに記載のランダムポリトリメチレンエーテルエステル。
（７）  前記１，３−プロパンジオール反応体が１，３−プロパンジオールであることを特徴とする（６）に記載のランダムポリトリメチレンエーテルエステル。
（８）  前記１，３−プロパンジオール反応体が、４〜９の重合度を有する１，３−プロパンジオールのプレポリマーおよびそれらの混合物よりなる群から選択されることを特徴とする（６）に記載のランダムポリトリメチレンエーテルエステル。
（９）  前記脂肪族または芳香族二酸またはジエステルが、テレフタル酸、ビ安息香酸、イソフタル酸およびナフタル酸、テレフタル酸ジメチル、ビ安息香酸ジメチル、イソフタル酸ジメチル、ナフタル酸ジメチルおよびフタル酸ジメチル、およびそれらの組み合わせよりなる群から選択されることを特徴とする（１）〜（８）のいずれかに記載のランダムポリトリメチレンエーテルエステル。
（１０）  前記脂肪族または芳香族二酸がテレフタル酸であることを特徴とする（１）〜（９）のいずれかに記載のランダムポリトリメチレンエーテルエステル。
（１１）  （ａ）（１）１，３−プロパンジオール反応体、（２）脂肪族または芳香族酸またはエステル、および（３）重縮合触媒を提供する工程と、
（ｂ）前記１，３−プロパンジオール反応体を重縮合してランダムポリトリメチレンエーテルエステルを形成する工程と
を含む方法によって調製されることを特徴とする（１）に記載のランダムポリトリメチレンエーテルエステル。
（１２）  （１）〜（１１）のいずれかに記載のランダムポリトリメチレンエーテルエステルと、ポリエステル、ポリアミド、ポリウレタンおよびポリウレタンウレアよりなる群から選択されるポリマーとから調製されることを特徴とする熱可塑性エラストマー。
（１３）  （１）〜（１１）のいずれかに記載のランダムポリトリメチレンエーテルエステルからの軟質セグメントと、アルキレンエステル硬質セグメントとを含むことを特徴とするポリエーテルエステルエラストマー。
（１４）  （１）〜（１１）のいずれかに記載のランダムポリトリメチレンエーテルエステルからの軟質セグメントと、テトラメチレンエステル硬質セグメントとを含むことを特徴とするポリエーテルエステルエラストマー。
（１５）  （１）〜（１１）のいずれかに記載のランダムポリトリメチレンエーテルエステルからの軟質セグメントと、トリメチレンエステル硬質セグメントとを含むことを特徴とするポリエーテルエステルエラストマー。
（１６）  （１）〜（１１）のいずれかに記載のランダムポリトリメチレンエーテルエステルからの軟質セグメントと、ポリアミド硬質セグメントとを含むことを特徴とするポリトリメチレンエーテルエステルアミド。
（１７）  （ａ）（１）〜（１１）のいずれかに記載のランダムポリトリメチレンエーテルエステルと、（ｂ）ジイソシアネートと、（ｃ）ジオールまたはジアミン鎖延長剤とから調製されることを特徴とするポリウレタンまたはポリウレタンウレアエラストマー。